(57)【要約】      （修正有）【課題】カップ麺に熱湯を注ぎ、麺の茹で上がるまでの一定時間、即ち待機中、時間計測する、とともに表示ランプが点滅点燈し周囲に待機中であることを強く印象づける表示部を、本体の一部に構成した箸入れで、待機中カップの密閉用の重石としても使用する。【解決手段】箸入れ本体の一部に、スタートスイッチ６、表示ランプ４、ブザーおよびスタート信号でカップ麺が茹で上がるまでの一定時間表示ランプを点滅点燈制御し、麺の茹で上がり完了時にブザーを一定時間鳴動制御する各制御回路から成る表示部２を構成し、総重量を８０ｇ以上とする。【選択図】図１
2014136060.tif 000002
【特許請求の範囲】
【請求項１】
スタートスイッチ、表示ランプ、およびブザーと、スタート信号を受けてカップ麺が茹で上がるまでの一定時間、表示ランプを点滅点燈制御し、茹で上がり完了時にブザーを一定時間、鳴動制御する制御回路とから成る表示部を、箸入れ本体の一部に構成したカップ麺用表示ランプ付箸入れ。
【請求項２】
表示部を箸入れ本体と分離・接続可能とした請求項１のカップ麺用表示ランプ付箸入れ。  
【請求項３】
総重量が８０ｇ以上とする請求項１のカップ麺用表示ランプ付箸入れ。
【発明の詳細な説明】
【技術分野】
【０００１】
本発明は、時間経過を点滅ランプで表示する一種のタイマーに係り、特に即席麺が入ったカップに熱湯を注ぎ込み一定時間経過後に茹で上がるカップ麺において、該一定時間点滅点燈する表示部を、茹で上がり後の即席麺を食するときに使用する箸またはフォークを収納する箸入れ本体の一部に構成した箸入れに関する。
【背景技術】
【０００２】
従来、カップ麺の茹で上がり時間を測定するのには、単独のクッキングタイマーあるいはキッチンタイマーと称する電子式タイマー装置、または砂時計等が使用されており、また専用のものとしてカップに熱湯を注いだ後、開けたカップの上蓋を閉じて該蓋の上に重石、として載せ、カップを密閉させる蓋押さえとタイマーとで構成されたカップ麺用タイマー（例えば特許文献１参照）があるが、カップ麺を茹でている一定の待機時間、点滅点燈する表示ランプを、箸を収納する箸入れ本体の一部に構成したものは無い。
【先行技術文献】
【特許文献】
【０００３】
【特許文献１】実用新案登録  第３０９０７１９号
【発明の概要】
【発明が解決しようとする課題】
【０００４】
カップ麺のカップに書かれた指示に従い、カップ上蓋を、熱湯の注入が可能な程度に剥がして開けたカップの口から熱湯を注ぎ込んだ後、該上蓋を戻してその上に重石を載せカップの口を密閉し、指定された茹で上がり時間、例えば３分または４分あるいは５分が経過した後、茹で上がった麺を箸またはフォークを使用して食するカップ麺の調理において、前述したカップの口の密閉用の上蓋の上に載せる重石は一般的に身近にある適当な重さと大きさの食器類、木片、果物、等さまざまのものを利用していた。
【０００５】
このように、カップ麺を調理するには茹で上がり時間を計測するタイマーまたはこれに類するものと、前述したカップ上蓋の重石、および麺を食するときに使用する箸またはフォークとが必要であり、従来これらのものはそれぞれ個別に用意しなければならない不便があり、特に前述したようにカップの口を密閉する際に使用する重石を捜すのが面倒であった。
【０００６】
またカップに注ぐ湯は熱湯であって、茹で上がるまでの待機中に調理者本人が一時的にその場を離れた場合、他の人、特に子供等が待機中と知らずに不用意に該カップに触れて倒してしまい、熱湯で火傷を負う危険性があるため待機中であることを周囲に強く印象づけることが望ましいが、従来のこの種のタイマーまたはこれに類するものには周囲への視認性に欠けていた。
【課題を解決するための手段】
【０００７】
スタートスイッチ、表示ランプおよびブザーと、スタート信号を受けてカップ麺が茹で上がるまでの一定時間表示ランプを点滅点燈制御し、茹で上がり完了時ブザーを一定時間鳴動制御する制御回路とから成る表示部を、箸入れ本体の一部に構成したことを特徴とする。
また、本発明はカップ麺上蓋を密閉する際の重石として使用するため、総重量を８０ｇ以上であることが好ましい。
【０００８】
本発明の箸入れは総重量が１０００ｇ以下とするのが好ましい。１０００ｇを超えると対象とするカップ麺の容器が押しつぶれることがあり好ましくない。８０ｇ以上の重量とすることによりカップ麺の蓋を押しつけて密閉することが出来るからである。
【発明の効果】
【０００９】
このように、表示部を構成したカップ麺用表示ランプ付箸入れを、熱湯注入後のカップの口を密閉する時の上蓋に載せる重石として使用することができるので、茹で上がり時間計測タイマー、麺を食する時の箸とを合わせて一体的に使用でき、これらのものを個別に用意する不便が解消される。
【００１０】
また、麺が茹で上がるまでの一定の待機時間中は、表示ランプが点滅点燈しているため視認性が高く、一目で待機中であることが判明でき、他人が不用意に熱湯の入っているカップに触れて倒してしまうという危険性が無くなる。
【００１１】
さらに、表示部２は箸入れ本体と分離可能であり、箸入れ本体を洗浄する際に、水気を嫌う電気・電子回路を含む表示部２を外して洗浄できる。
【図面の簡単な説明】
【００１２】
【図１】本発明によるカップ麺用表示ランプ付箸入れの一実施例の部分破断部を有する正面図。
【図２】図１の部分破断部を有する平面図。
【図３】図１の左側面図。
【図４】図１の右側面図。
【図５】本発明の一実施例の箸収納箱を抜き出した時の部分平面図。
【図６】本発明の一実施例の表示部制御回路構成図。
【図７】上蓋を熱湯注入用に開いたカップ麺の斜視図。
【図８】本発明の一実施例の使用状態を示す図。
【発明を実施するための形態】
【実施例】
【００１３】
以下、添付図面に従って一実施例を説明する。
１は箸入れ本体で、茹で上がったカップ麺を食するときに使用する箸１１を収納する箸収納箱１０がケース９の中を一方向に抜き差し自由な形で内蔵しており、他方の端部には、カップ麺の茹で上がりまでの待機中、表示窓３が点滅点燈し待機中であることを表示する表示部２を前記箸収納箱１０と同様、ケース９内を同方向に抜き差し可能に構成している。
【００１４】
表示部２について詳しく説明すると、図１の回路基板５には、図１および図６に示す表示ランプ４、スタートスイッチ６、ブザー１７、表示ランプ時間回路１２、ブザー時間回路１３、表示ランプ制御回路１４、ブザー制御回路１５、ブザー鳴動リレー１６および電源電池が搭載されており、スタートスイッチ６が押されることによりスタート信号が表示ランプ制御回路１４に入力され、同時に該制御回路１４より表示ランプ時間回路１２へ時間作成スタート指令を、表示ランプ４へは点燈信号が、それぞれ出力され、該点燈信号を受けた表示ランプは前記時間回路１２で作成された一定時間、即ちカップ麺の茹で上がるまでの時間、点滅点燈し続け、前記時間回路１２のタイムアップを受けた表示ランプ制御回路１４が点燈停止信号を表示ランプ４およびブザー制御回路１５へそれぞれ出力し、その結果表示ランプ４が消燈すると同時に、該制御回路１５はブザー時間回路１３へ時間作成指令を出力するとともに、ブザー鳴動リレー１６を介してブザー１７を該時間回路１３で作成された一定時間鳴動制御してカップ麺の茹で上がりを知らせる。
【００１５】
３は、表示ランプ４の点滅点燈光を受けて外部に表示する表示窓で、該点滅点燈光をより視認性を高くするため、素材は半透明のプラスチックでできており、表示ランプ４の真上に位置しケース９に取り付けられている。
【００１６】
本一実施例における表示ランプ時間回路１２は一回路のみであり、したがって作成される一定時間、即ち茹で上がり時間は一つである（例えば３分）が、該時間回路１２を複数用意し（例えば３分、４分、５分）切り替える構成にすることにより、それぞれの茹で上がり時間に対応したカップ麺の調理が可能である。
【００１７】
スタートスイッチ６は、図１に示すケース９の端部に取り付けてあり、押すことにより機能するタクトスイッチで、通常本箸入れをカップ麺の調理に使用しない時に、外力で不用意に押されることを防ぐため、ケース９に設けた穴部８内に位置し、その端面はケース９の表面より低くなっている。
【００１８】
本一実施例を使用したカップ麺の調理手順を述べると、表示ランプ時間回路１２で作成される一定時間、即ち、茹で上がり時間を３分とした場合、まず茹で上がり３分用の好みのカップ麺を用意し、該カップに書かれた指示に従って図７のように、カップ麺１８の上蓋２０を、カップ１９の口２１から剥がすように一部開け、開けた口から熱湯を指定レベルまで注ぎ込み、同時にスタートスイッチ６を押して表示ランプ４を点滅点燈させた直後、図８に示すように上蓋２０を戻してカップの口２１を閉め、該上蓋２０の上に本一実施例の箸入れを重石として載せて該口２１を密閉して待機し、表示ランプ４の消灯、即ち３分間経過してブザー１７が鳴動するのを待って上蓋２０を剥がし取り、本箸入れの本体１の箸収納箱１０を抜き出し、収納されている箸１１を取り出して茹で上がったカップ麺を食する。
【符号の説明】
【００１９】
１  箸入れ本体
２  表示部
３  表示窓
４  表示ランプ
５  回路基板
６  スタートスイッチ
８  穴部
９  ケース
１０箸収納箱
１１箸
１２表示ランプ時間回路
１３ブザー時間回路
１４表示ランプ制御回路
１５ブザー制御回路
１６ブザー鳴動リレー
１７ブザー
１８カップ麺
１９カップ
２０上蓋
２１口
【図１】
2014136060.tif 000003
【図２】
2014136060.tif 000004
【図３】
2014136060.tif 000005
【図４】
2014136060.tif 000006
【図５】
2014136060.tif 000007
【図６】
2014136060.tif 000008
【図７】
2014136060.tif 000009
【図８】
2014136060.tif 000010